【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
水域環境内に適用するための、防汚剤で処理された繊維材料であって、
前記防汚剤は、
ａ）１種以上の有機の汚れ防止性殺生物剤；
ｂ）ポリマー性バインダー、
ｃ）水、又は水性溶媒混合物（但し、該水性溶媒混合物は、合計溶媒混合物（ｃ）に対して、少なくとも６５質量％の水を含む）、
を含み、前記ポリマー性バインダーｂ）は、
（Ａ）平均モル質量Ｍnが１５００〜２００００ｇ／ｍｏｌで、以下のモノマー、
（Ａ１）６０〜９５質量％のエチレン、
（Ａ２）５〜４０質量％の、
（Ａ２ａ）モノエチレン性不飽和Ｃ3−Ｃ10モノカルボン酸、及び
（Ａ２ｂ）モノエチレン性不飽和Ｃ4−Ｃ10ジカルボン酸、
から成る群から選ばれる、少なくとも１種の不飽和カルボン酸、及び
（Ａ３）任意に０〜３０質量％の、（Ａ１）及び（Ａ２）と共重合可能な他のエチレン性不飽和モノマー、
（但し、モノマーの量は、それぞれ、使用されるモノマーの全量に対してのものである）
から得られる、ポリマー性バインダー；
（Ｂ）平均モル質量Ｍnが、４００００〜２５００００であるポリ（メト）アクリル性バインダーであって、（使用される全モノマーに対して）少なくとも５０質量％の、１種以上の、式（Ｉ）
【化１】
2012507637.tif 000001
（但し、
Ｒ1、Ｒ2、及びＲ3が独立して、任意にフッ素置換されていても良く、及び直鎖状、又は枝分れしたＣ1−〜Ｃ10−アルキル、又は置換された、又は置換されていないアリールから選ばれ、
Ｒ1及びＲ2が、任意にＨである）
のモノマーのラジカルエマルジョン重合によって得られるポリ（メト）アクリル性バインダー；
（Ｃ）ポリウレタンバインダーであって、以下の成分：
（Ｃ１）少なくとも１種のジイソシアネート、又はポリイソシアネート；
（Ｃ２）少なくとも１種のジオール、トリオール、又はポリオール；
（Ｃ３）任意に更なる成分；及び
（Ｃ４）任意に更なる添加剤；
を反応させることによって得られるポリウレタンバインダー；
（Ｄ）ポイソシアヌレートバインダーであって、式（ＩＩ）
【化２】
2012507637.tif 000002
（但し、Ｒ4が、アルキレン又はアリーレン残基である）
の基を含む、ポリイソシアヌレートバインダー；
から成る群から選ばれるものである、水域環境内に適用するための、防汚剤で処理された繊維材料。
【請求項２】
有機の汚れ防止性殺生物剤（ａ）が、クロロタロニル（テトラクロロイソフタロジニトリル）、ジクロフラニド（Ｎ，Ｎ−ジメチル−Ｎ’−フェニル−Ｎ’−（フルオロクロロメチルチオ）サルフアミド）、トリルフラニド（Ｎ，Ｎ−ジメチル−Ｎ’−トリル−Ｎ’ジクロロフルオロメチルチオサルフアミド）、ジウロン（１，１−ジメチル−３−（３，４−ジクロロフェニル）ウレア）、ピコリナフェン（Ｎ−（４−フルオロフェニル）−６−［３−（トリフルオロメチル）フェノキシ］−２−ピリジンカルボキシアミド、ジチアノン（２，３−ジシアノ−１，４−ジチア−アントラキノン）、Ｉｒｇａｒｏｌ １０５１（Ｎ’−ｔｅｒｔ．−ブチル−Ｎ−シクロプロピル−６−（メチルチオ）−１，３，５−トリアジン−２，４−ジアミン）、２，４，５，６−テトラクロロイソフタロニトリル、４，５−ジクロロ−２−オクチル−３−（２Ｈ）−イソチアゾリン−３−ｏｎｅ（ＤＣＯＩＴ）、２−（チオシアノメチルチオ）ベンゾチアゾール、（チオシアノ−メチルチオ）ベンゾチアゾール、Ｎ−シクロヘキシルジアゼニウムジオキシド銅、又はカリウム塩（ＣｕＨＤＯ、ＫＨＤＯ）、２−メルカプト−ベンゾチアゾール、亜鉛、又は銅ピリチオン、金属ジチオカルバメート、例えば、Ｚｎ、Ｍｎ、Ｆｅ又はＣｕエチレンビス（ジチオカルバメート）、エチレンエチウラムモノスルフィッド、又はジスルフィッド、メルカプト−イミダゾリン、ジフェニル−グアニジン、ジ−ｏ−トリルグアニジン、Ｎ，Ｎ−ジアルキルジチオカルバミン酸チオ無水物、Ｎａ−Ｎ−メチルジチオカルバメート、Ｎ，Ｎ−ジアルキルジカルバミン酸金属塩（Ｚｎ、Ｆｅ、Ｃｄ、Ｃｒ、Ｃｕ、Ｎｉ、Ｍｎ）、Ｎ−アシル−１，２，４−チアゾール、Ｎ−アシル−１，３，４−チアゾール、Ｎ−アシル−１，２，３−チアゾール、Ｎ−アシル−１，２，５−チアゾール、２−（４−チアゾリル）−ベンズイミダゾール、誘導ｇ−ラクトン、ベンゾトリアゾール（例えば、２−（２’−ヒドロキシフェニル）ベンゾトリアゾール−５，５’−ジカルボン酸）、置換Ｎ−アリールジクロロマレイミド、例えばＮ−（４−フルオロフェニル）−２，３−ジクロロマレイミド、２，４，６−トリクロロフェニルマレイミド、メチルＮ−（３，４−ジクロロフェニル）カルバメート、ナフテン酸金属塩、テトラアルキルチウラムスルフィッド、又はジスルフィッド、又はこれらの金属塩、２，２−ジチオ−ビス（ピリジン−Ｏ−オキシド）、ＪＰ０９２２７３０８に従うナフサ−フラン誘導体、トリフェニルボランアルキルアミン錯体、例えば、トリフェニルピリジンボラン、（４−イソプロピルピリジノ）メチルシフェニルボロン、（チオシアノアルキル）チオベンゾヘテロゾール、Ｎ−フェニルマレイミド誘導体、Ｎ−フェニルスシニックイミド誘導体、フルオロジクロロメチルチオフタルイミド、ジクロロナフトキノン、アミノクロロナフトキノン、Ｎ−トリクロロメチルチオ−シクロヘク−４−ｅｎｅ−１，２−ジカルボキシイミド（＝Ｎ−トリクロロメチルチオテトラヒドロフタルイミド）、又は他のハロゲン化Ｎ−アルキルチオ誘導体、Ｎ−チオアルキルフタルイミド誘導体、例えばＮ−（フルオロジクロロメチルチオ）フタルイミド、任意にハロゲ��化された又は他に置換されたピリジン−８−スルホン酸エステル、エチレン−ビス−ジチオカルバミン酸、又はその金属塩（例えば、亜鉛又はマンガンの塩）、ジメチルジチオカルバミン酸、又はその金属塩、２−（チアゾール−４−イル）ベンズイミダゾール、テトラクロロイソフタロジニトリル、置換クマリン誘導体、２−チオ−ペルヒドロ−１，３，５−チアジアゾン誘導体、３−（３．４−ジクロロフェニル）−１．１−ジメチルウレア、３，４−ジクロロカルバニル酸メチルエステル、Ｎ−プロピノイルインドリン、置換Ｎ−プロピノイルアニリン誘導体、置換Ｎ−チオカルボニルインドリン誘導体、例えば１−（ベンジルチオカルボニル）インドリン、ジ−チオロ（４，５−ｂ）キノキサリン−２−（チ）ｏｎｅ、置換（ハロアルキニル）アリールエーテル、例えば、ペンタクロロフェニル−ヨードプロパルギルエーテル、アルキル又はトリフルオロメチル置換Ｎ−フェニルベンズアミド、Ｎ−置換４−フェニル−１，３−チアゾリン−２−ｏｎｅ誘導体、１−（４−クロロフェニル）−１−シクロペンタンカルボン酸、又はそのアミド又はエステル、Ｎ−置換５−（４−ピリジル−メチル）−６−チオ−１−チア−３，５−ジアザシクロヘキサン誘導体、金属（例えば、亜鉛）ジベンジルジチオカーボネート、２−メチルチオ−４，６−ビス（イソプロピルアミノ）−ｓ−トチアジン、２−メチル（チオ−４−ｔｅｒｔ．−ブチルアミノ−６−シクロプロピルアミノ−ｓ−トリアジン）、２−アミノ−３−クロロ−１，４−ナフトキノン、４−ブロモ−２−（４−クロロフェニル）−５−（トリフルオロメチル）−１Ｈ−ピロール−３−カルボニトリル、ノストカルボリン誘導体（ＥＰ−１７８３１２８）、置換１，２−ジヒドロキシキノリン誘導体、例えば、６−エトキシ−１，２−ジヒドロキシ−２，２，４−トリメチルキノリン；１，４，２−オキサチアジン誘導体、例えば５，６−ジヒドロ−３−（２−チエニル）−１，４，２−オキサチアジン−４−オキシド、５，６−ジヒドロ−３−（ベンゾ［ｂ］チエン−２−イル）−１，４，２−オキサチアジン−４−オキシド、３−（４−クロロフェニル）−５，６−ジヒドロ−３−（２−チエニル）−１，４，２−オキサチアジン−４，４−ジオキシド、１，２，３，４−テトラヒドロ−２−メチル−１，４−ジオキソ−２−ナフタレンスルホン酸ナトリウム塩、３−ヨードプロパルギル−Ｎ−ブチルカルバメート（ＩＰＢＣ）、３−（３−ヨードプロパルギル）−ベンゾオキサゾール−２−ｏｎｅ、３−（３−ヨードプロパルギル）−６−クロロ−ベンゾヘキサゾール−２−ｏｎｅ、及び更なる３−イソチアゾロンから選ばれることを特徴とする請求項１に記載の繊維材料。
【請求項３】
有機の汚れ防止性殺生物剤が、ＣｕＨＤＯ、ピコリナフェン及びジチアノンから選ばれることを特徴とする請求項２に記載の繊維材料。
【請求項４】
ポリマー性バインダー（ｂ）が、ポリエチレン性バインダー（Ａ）であることを特徴とする請求項１〜３の何れか１項に記載の繊維材料。
【請求項５】
ポリマー性バインダー（Ａ）が、モノエチレン性不飽和Ｃ3−Ｃ10モノカルボン酸（Ａ２ａ）、及びモノエチレン性不飽和Ｃ4−Ｃ10モノカルボン酸（Ａ２ｂ）の群から選ばれる、少なくとも１種のモノエチレン性不飽和カルボン酸（Ａ２）を含むことを特徴とする請求項４に記載の繊維材料。
【請求項６】
ポリマー性バインダー（ｂ）が、ポリ（メト）アクリル性バインダー（Ｂ）であることを特徴とする請求項１〜３の何れか１項に記載の繊維材料。
【請求項７】
ポリ（メト）アクリル性バインダー（Ｂ）が、
Ｂ１）成分Ｂ１として、（使用した全モノマーの合計質量に対して）少なくとも５０質量％の、式（Ｉ）、
【化３】
2012507637.tif 000003
（但し、Ｒ1、Ｒ2及びＲ3が、独立して、直鎖状、又は枝分れしたＣ1〜Ｃ10−アルキル、又は置換された、又は置換されていないアリールであり；
Ｒ1、及びＲ2が、任意にＨである）
の１種以上のモノマー、
Ｂ２）任意に、成分Ｂ２として、式（ＶＩ）
【化４】
2012507637.tif 000004
（但し、
Ｒ9、Ｒ10、Ｒ11、及びＲ12が、独立して、Ｈ、直鎖状、又は枝分れしたＣ1−〜Ｃ10−アルキル、又は置換、又は無置換のアリールである）
の少なくとも１種のモノマー；
Ｂ３）任意に、成分Ｂ３として、式（ＶＩＩ）
【化５】
2012507637.tif 000005
（但し、  
Ｒ13及びＲ14が、独立して、Ｈ、直鎖状、又は枝分れしたＣ1−〜Ｃ10−アルキル、又は置換、又は無置換のアリールであり、
Ｘが、Ｈ、ＯＨ、ＮＨ2、ＯＲ15ＯＨ、グリシジル、ヒドロキシプロピル、
式
【化６】
2012507637.tif 000006
（但し
Ｒ15が、Ｃ1−〜Ｃ10−アルキレン、又は置換又は無置換のアリーレンであり、
Ｒ16が、枝分れした、又は直鎖状のＣ1−〜Ｃ10−アルキル、又は置換又は無置換のアリールである）
の、
【化７】
2012507637.tif 000007
基
である）
の少なくとも１種のモノマー、及び
Ｂ４）任意に、
Ｂ４１）極性のモノマー、好ましくは（メト）アクリロニトリル、及び／又はメチル（メト）アクリレート；及び／又は
Ｂ４２）非極性のモノマー、好ましくはスチレン、及び／又はａ−メチルスチレン、
から選ばれる、上述したモノマーと共重合可能な、更なるモノマー、
をエマルジョン重合することによって得られることを特徴とする請求項６に記載の繊維材料。
【請求項８】
防汚剤が、定着剤（ｄ）を含むことを特徴とする請求項１〜４、６又は７の何れか１項に記載の繊維材料。
【請求項９】
処理された繊維材料が、網の状態であることを特徴とする請求項１〜８の何れか１項に記載の繊維材料。
【請求項１０】
網のメッシュが、２ｍｍ〜３０ｍｍのサイズであることを特徴とする請求項９に記載の繊維材料。
【請求項１１】
メッシュが、正方形、六角形、又は八角形の形状であることを特徴とする請求項９又は１０の何れかに記載の繊維材料。
【請求項１２】
処理された繊維材料が、殺生物剤（ａ）に加え、ピレスロド、ニコチン性の受容体作用薬／拮抗薬化合物、有機フォスフェイト、及び大環状のラクトン殺虫剤を含むことを特徴とする請求項１〜１１の何れか１項に記載の繊維材料。
【請求項１３】
水域環境中で、生物付着から繊維材料を守るための方法であって、繊維材料を請求項１〜８の何れか１項に記載の防汚剤で処理する工程を含むことを特徴とする方法。
【請求項１４】
請求項１２に記載の繊維材料を適用する工程を含む、水産養殖中の寄生虫から養殖獣を守るための方法。